【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
通信システムで帯域幅を節約するための方法であって、
第１の擬似雑音（ＰＮ）拡散器を用いて、データフレームを拡散すること；
第２のＰＮ拡散器を使用して、同報フレームを拡散すること；
第１のコンポーネントと第２のコンポーネントとを有する複素データストリームを発生させることであって、前記データフレームは前記第１のコンポーネントに割り当てられ、同報フレームは前記第２のコンポーネントに割り当てられ、かつ前記第１のコンポーネントは、前記複素データストリームの実数成分を含み、前記第２のコンポーネントは、前記複素データストリームの虚数成分を含むこと；ならびに、
前記複素データストリームをタグに送信すること、を含む方法。
【請求項２】
前記同報フレームが、複数のビットを有するペイロードを含み、前記複数のビットの一つ以上は、前記タグに確認応答を伝達するために利用される、請求項１に記載の方法。
【請求項３】
複数のビットの少なくとも１つは、確認応答を提供するために、タグに確保される、
請求項２に記載の方法。
【請求項４】
第１のＰＮ拡散器または第２のＰＮ拡散器の１つでプリアンブルを拡散すること；
プリアンブルが同報フレームまたはデータフレームより高い電力で同報されるように、プリアンブルをブーストすること；ならびに、
前記プリアンブルを前記タグへ送信することを、さらに含む、請求項１に記載の方法。
【請求項５】
プリアンブルの送信の間、データチャネルを切断することを、さらに含み、
前記プリアンブルは同報チャンネル上で送信される、請求項４に記載の方法。
【請求項６】
前記データフレームと前記同報フレームとが、一つの拡散率で拡散され、さらに、
前記拡散率が前記タグを有するリンクの質に、少なくとも部分的に基づいている、請求項１に記載の方法。
【請求項７】
送信時間が最小化されるように、前記リンクの質が質の閾値を満たす場合に、減少した拡散率を使用することを、さらに含む、請求項６に記載の方法。
【請求項８】
前記タグから第１の送信を受信し、第２のタグから第２の送信を受信すること；および
前記第１の送信および前記第２の送信に応答して、第１の情報を前記タグへ、かつ第２の情報を前記第２のタグへ、連続的に送信すること、をさらに含み、
前記タグと前記第２のタグは、前記第１の情報と前記第２の情報が送信される順番に気づかない、請求項１に記載の方法。
【請求項９】
第１の擬似雑音（ＰＮ）拡散器を用いて、データフレームを拡散し；
第２のＰＮ拡散器を使用して、同報フレームを拡散し；および
第１のコンポーネントと第２のコンポーネントとを有する複素データストリームを生成するように構成されているプロセッサであって、
前記データフレームは前記第１のコンポーネントに割り当てられ、前記同報フレームは前記第２のコンポーネントに割り当てられており、前記第１のコンポーネントは、前記複素データストリームの実数成分を含み、前記第２のコンポーネントは、前記複素データストリームの虚数成分を含む、プロセッサと；
前記プロセッサに作用可能に連結し、前記複素データストリームをタグに送信するように構成された送信機と、を具備する、アクセスポイント。
【請求項１０】
無線周波数（ＲＦ）アップコンバータをさらに具備し、
プロセッサが、前記複素データストリームを生成するために、前記ＲＦアップコンバータを使用する、請求項９に記載のアクセスポイント。
【請求項１１】
前記同報フレームが、複数のビットを有するペイロードを含み、前記複数のビットの一つ以上は、前記タグに確認応答を伝達するために利用される、請求項１０に記載のアクセスポイント。
【請求項１２】
複数のビットの少なくとも１つは、確認応答を提供するために、タグに確保される、
請求項１１に記載のアクセスポイント。
【請求項１３】
前記プロセッサは、
前記第１のＰＮ拡散器または前記第２のＰＮ拡散器の１つでプリアンブルを拡散し；および
前記プリアンブルが、前記同報フレームまたは前記データフレームよりも高い電力で、同報されるように、前記プリアンブルをブーストするように構成されている、請求項１０に記載のアクセスポイント。
【請求項１４】
データフレームが一つの拡散率で拡散され、さらに、
前記拡散率が前記タグを有するリンクの質に、少なくとも部分的に基づいている、請求項１０に記載のアクセスポイント。
【請求項１５】
コンピュータ可読命令を格納するコンピュータ可読媒体であって、該コンピュータ可読命令は、プロセッサによって実行されると、アクセスポイントに、
第１の擬似雑音（ＰＮ）拡散器を用いて、データフレームを拡散させ；
第２のＰＮ拡散器を用いて、同報フレームを拡散させ；
第１のコンポーネントと第２のコンポーネントとを有する複素データストリームであって、
前記データフレームは前記第１のコンポーネントに割り当てられ、前記同報フレームは前記第２のコンポーネントに割り当てられており、前記第１のコンポーネントは、前記複素データストリームの実数成分を含み、前記第２のコンポーネントは、前記複素データストリームの虚数成分を含む、前記複素データストリームを発生させ；ならびに、
前記複素データストリームをタグに送信させる、
コンピュータ可読媒体。
【請求項１６】
前記コンピュータ可読命令は、前記アクセスポイントに、さらに、
前記複素データストリームの前記第１のコンポーネントと前記第２のコンポーネント上でプリアンブルを、該プリアンブルがデータフレームより高い電力で送信されるように、送信させる、請求項１５に記載のコンピュータ可読媒体。
【請求項１７】
前記コンピュータ可読命令は、前記アクセスポイントに、さらに、前記複素データストリームの同報チャンネル上で、プリアンブルを送信させ、前記同報チャンネルは、前記複素データストリームの第２のコンポーネントに対応する、請求項１６に記載のコンピュータ可読媒体。
【請求項１８】
前記コンピュータ可読命令は、さらに、前記アクセスポイントに、前記同報フレームが前記プリアンブルより少ない電力で送信されるように、１／√（２）のスケーリング因子を前記同報フレームに適用させる、請求項１７に記載のコンピュータ可読媒体。
【請求項１９】
前記同報フレームが、複数のビットを有するペイロードを含み、さらに前記複数のビットの一つ以上は、前記タグに確認応答を伝達するために利用される、
請求項１６に記載のコンピュータ可読媒体。
【手続補正２】
【補正対象書類名】明細書
【補正対象項目名】００１９
【補正方法】変更
【補正の内容】
【００１９】
[本発明1001]
通信システムで帯域幅を節約するための方法であって、
第1の擬似雑音（ＰＮ）拡散器を用いて、データフレームを拡散すること；
第2のＰＮ拡散器を使用して、同報フレームを拡散すること；
第1のコンポーネントと第2のコンポーネントとを有する複素データストリームを発生させることであって、前記データフレームは前記第1のコンポーネントに割り当てられ、同報フレームは前記第2のコンポーネントに割り当てられ、かつ前記第1のコンポーネントは、前記複素データストリームの実数成分を含み、前記第2のコンポーネントは、前記複素データストリームの虚数成分を含むこと；ならびに、
前記複素データストリームをタグに送信すること、を含む方法。
[本発明1002]
前記同報フレームが、複数のビットを有するペイロードを含み、前記複数のビットの一つ以上は、前記タグに確認応答を伝達するために利用される、本発明1001の方法。
[本発明1003]
複数のビットの少なくとも1つは、確認応答を提供するために、タグに確保される、
本発明1003の方法。
[本発明1004]
第1のＰＮ拡散器または第2のＰＮ拡散器の1つでプリアンブルを拡散すること；
プリアンブルが同報フレームまたはデータフレームより高い電力で同報されるように、プリアンブルをブーストすること；ならびに、
前記プリアンブルを前記タグへ送信することを、さらに含む、本発明1001の方法。
[本発明1005]
プリアンブルの送信の間、データチャネルを切断することを、さらに含み、
前記プリアンブルは同報チャンネル上で送信される、本発明1005の方法。
[本発明1006]
前記データフレームと前記同報フレームとが、一つの拡散率で拡散され、さらに、
前記拡散率が前記タグを有するリンクの質に、少なくとも部分的に基づいている、本発明1001の方法。
[本発明1007]
送信時間が最小化されるように、前記リンクの質が質の閾値を満たす場合に、減少した拡散率を使用することを、さらに含む、本発明1007の方法。
[本発明1008]
前記タグから第1の送信を受信し、第2のタグから第2の送信を受信すること；および
前記第1の送信および前記第2の送信に応答して、第1の情報を前記タグへ、かつ第2の情報を前記第2のタグへ、連続的に送信すること、をさらに含み、
前記タグと前記第2のタグは、前記第1の情報と前記第2の情報が送信される順番に気づかない、本発明1001の方法。
[本発明1009]
第1の擬似雑音（ＰＮ）拡散器を用いて、データフレームを拡散し；
第2のＰＮ拡散器を使用して、同報フレームを拡散し；および
第1のコンポーネントと第2のコンポーネントとを有する複素データストリームを生成するように構成されているプロセッサであって、
前記データフレームは前記第1のコンポーネントに割り当てられ、前記同報フレームは前記第2のコンポーネントに割り当てられており、前記第1のコンポーネントは、前記複素データストリームの実数成分を含み、前記第2のコンポーネントは、前記複素データストリームの虚数成分を含む、プロセッサと；
前記プロセッサに作用可能に連結し、前記複素データストリームをタグに送信するように構成された送信機と、を具備する、アクセスポイント。
[本発明1010]
無線周波数（ＲＦ）アップコンバータをさらに具備し、
プロセッサが、前記複素データストリームを生成するために、前記ＲＦアップコンバータを使用する、本発明1010のアクセスポイント。
[本発明1011]
前記同報フレームが、複数のビットを有するペイロードを含み、前記複数のビットの一つ以上は、前記タグに確認応答を伝達するために利用される、本発明1010のアクセスポイント。
[本発明1012]
複数のビットの少なくとも1つは、確認応答を提供するために、タグに確保される、
本発明1012のアクセスポイント。
[本発明1013]
前記プロセッサは、
前記第1のＰＮ拡散器または前記第2のＰＮ拡散器の1つでプリアンブルを拡散し；および
前記プリアンブルが、前記同報フレームまたは前記データフレームよりも高い電力で、同報されるように、前記プリアンブルをブーストするように構成されている、本発明1010のアクセスポイント。
[本発明1014]
データフレームが一つの拡散率で拡散され、さらに、
前記拡散率が前記タグを有するリンクの質に、少なくとも部分的に基づいている、本発明1010のアクセスポイント。
[本発明1015]
コンピュータ可読命令を格納するコンピュータ可読媒体であって、該コンピュータ可読命令は、プロセッサによって実行されると、アクセスポイントに、
第1の擬似雑音（ＰＮ）拡散器を用いて、データフレームを拡散させ；
第2のＰＮ拡散器を用いて、同報フレームを拡散させ；
第1のコンポーネントと第2のコンポーネントとを有する複素データストリームであって、
前記データフレームは前記第1のコンポーネントに割り当てられ、前記同報フレームは前記第2のコンポーネントに割り当てられており、前記第1のコンポーネントは、前記複素データストリームの実数成分を含み、前記第2のコンポーネントは、前記複素データストリームの虚数成分を含む、前記複素データストリームを発生させ；ならびに、
前記複素データストリームをタグに送信させる、
コンピュータ可読媒体。
[本発明1016]
前記コンピュータ可読命令は、前記アクセスポイントに、さらに、
前記複素データストリームの前記第1のコンポーネントと前記第2のコンポーネント上でプリアンブルを、該プリアンブルがデータフレームより高い電力で送信されるように、送信させる、本発明1016のコンピュータ可読媒体。
[本発明1017]
前記コンピュータ可読命令は、前記アクセスポイントに、さらに、前記複素データストリームの同報チャンネル上で、プリアンブルを送信させ、前記同報チャンネルは、前記複素データストリームの第2のコンポーネントに対応する、本発明1016のコンピュータ可読媒体。
[本発明1018]
前記コンピュータ可読命令は、さらに、前記アクセスポイントに、前記同報フレームが前記プリアンブルより少ない電力で送信されるように、1／√（2）のスケーリング因子を前記同報フレームに適用させる、本発明1018のコンピュータ可読媒体。
[本発明1019]
前記同報フレームが、複数のビットを有するペイロードを含み、さらに前記複数のビットの一つ以上は、前記タグに確認応答を伝達するために利用される、
本発明1016のコンピュータ可読媒体。
以下の説明、添付の特許請求の範囲、および以下で簡単に説明する図面に示す付随する例示的な実施形態から、これらのおよびその他の特徴、態様、および利点が明らかになるであろう。